(57)【要約】【課題】投写する投写画像において、メニュー画面の欠けやコンテンツ画像との重なりによる視認性の低下を回避するプロジェクターを提供する。【解決手段】プロジェクター１００は、ＯＳＤ画像を処理するＯＳＤ処理部１５０と、入力画像およびＯＳＤ画像を合成して合成画像を生成する合成部１６０と、合成画像を投写する画像投写部２００と、合成部１６０が生成する第１の合成画像においてＯＳＤ画像および入力画像の少なくとも１つの視認性が低下する場合、入力画像およびＯＳＤ画像の少なくとも１つの配置位置、並びに、入力画像およびＯＳＤ画像の少なくとも１つの大きさ、の少なくとも１つを変更した第２の合成画像を生成させ、生成した第２の合成画像を画像投写部２００に投写させる操作制御部１４０と、を備える。【選択図】図１
2015176102.tif 000002
【特許請求の範囲】
【請求項１】
入力画像およびＯＳＤ画像を合成して合成画像を生成する合成画像生成部と、
前記合成画像を投写する投写部と、
前記合成画像生成部が生成する第１の合成画像において前記ＯＳＤ画像および前記入力画像の少なくとも１つの視認性が低下する場合、前記入力画像および前記ＯＳＤ画像の少なくとも１つの配置位置、並びに、前記入力画像および前記ＯＳＤ画像の少なくとも１つの大きさ、の少なくとも１つを変更した第２の合成画像を前記合成画像生成部に生成させ、生成した前記第２の合成画像を前記投写部に投写させる制御部と、を備えることを特徴とする投写装置。
【請求項２】
請求項１に記載の投写装置において、
前記合成画像生成部は、
投写された前記第１の合成画像を撮影する撮影部と、
前記撮影部が撮影した前記第１の合成画像における前記ＯＳＤ画像を解析し、前記第１の合成画像における前記ＯＳＤ画像の少なくとも一部が投写されているか否かを判定する解析部と、
前記解析部が前記ＯＳＤ画像の少なくとも一部が投写されていないと判定した場合、前記ＯＳＤ画像を正しく投写するべく前記ＯＳＤ画像の前記配置位置を決定する決定部と、
前記決定部が決定した前記配置位置に基づいて前記ＯＳＤ画像を生成する生成部と、
前記生成部が生成した前記ＯＳＤ画像と、前記入力画像とを合成して前記第２の合成画像を生成する合成部と、を備えることを特徴とする投写装置。
【請求項３】
請求項２に記載の投写装置において、
前記解析部は、前記撮影部が撮影した前記第１の合成画像から前記ＯＳＤ画像のイメージ像を抽出し、抽出した前記イメージ像と前記ＯＳＤ画像のデータが示すイメージ像とを比較することにより、抽出した前記ＯＳＤ画像が正しく投写されているか否かを判定することを特徴とする投写装置。
【請求項４】
請求項１に記載の投写装置において、
前記合成画像生成部は、
前記投写部が投写可能な投写領域において前記入力画像が投写されない余白領域を抽出する抽出部と、
抽出した前記余白領域に基づいて、前記入力画像と前記ＯＳＤ画像とが重畳しない前記配置位置を決定する決定部と、
前記決定部が決定した前記配置位置に基づいて前記ＯＳＤ画像を生成する生成部と、
前記生成部が生成した前記ＯＳＤ画像と、前記入力画像とを合成して前記第２の合成画像を生成する合成部と、を備えることを特徴とする投写装置。
【請求項５】
請求項４に記載の投写装置において、
前記合成画像生成部は、
前記決定部が決定した前記配置位置に基づいて、前記ＯＳＤ画像および前記入力画像の少なくとも１つの大きさを変更することを特徴とする投写装置。
【請求項６】
入力画像およびＯＳＤ画像を合成した第１の合成画像において、前記ＯＳＤ画像および前記入力画像の少なくとも１つの視認性が低下する場合、前記入力画像および前記ＯＳＤ画像の少なくとも１つの配置位置、並びに、前記入力画像および前記ＯＳＤ画像の少なくとも１つの大きさ、の少なくとも１つを変更した第２の合成画像を生成し、生成した前記第２の合成画像を投写することを特徴とする投写装置の制御方法。
【発明の詳細な説明】
【技術分野】
【０００１】
本発明は、画像投写装置および画像投写装置の制御方法に関する。
【背景技術】
【０００２】
コンテンツ等の画像を表示する表示装置の一形態として、光源から射出された光を、光変調装置で画像信号に応じて変調し、この変調光をスクリーン等に拡大投写して画像を表示するプロジェクターが知られている。
このようなプロジェクターで画像を表示中に種々の機能設定を行いたい場合、ユーザーがプロジェクターを操作して機能設定のメニュー画面等を呼び出し、呼び出した画面を画像に重畳させた状態で設定指示を行うオンスクリーンディスプレイ（以降、「ＯＳＤ」と呼ぶ）機能が多くのプロジェクターに具備されている。
ところで、ＯＳＤ機能により生成したメニュー画面は投写領域の端部に表示されることが多いことから、プロジェクターで立体物や表示領域よりも小さい物体等に投写する場合、メニュー画面の一部が欠けて表示されることがある。このような不具合を解消すべく、例えば、下記特許文献１に示すように、投写する領域をマーキングし、プロジェクターがマーキングした領域を選択して投写することにより、メニュー画面の欠けを回避する装置が提案されている。
【先行技術文献】
【特許文献】
【０００３】
【特許文献１】特開２０００−６９３９８号公報
【発明の概要】
【発明が解決しようとする課題】
【０００４】
しかしながら、上述のプロジェクターでは、ユーザーが投写する領域を明示的にマーキングする必要があり、領域を設定するために手間と時間を要し不便であった。
本発明は、上述の課題に鑑みてなされたものであり、プロジェクターで投写する投写画像において、メニュー画面等の欠けやコンテンツ画像との重なりによる視認性の低下を回避することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる投写装置は、入力画像およびＯＳＤ画像を合成して合成画像を生成する合成画像生成部と、前記合成画像を投写する投写部と、前記合成画像生成部が生成する第１の合成画像において前記ＯＳＤ画像および前記入力画像の少なくとも１つの視認性が低下する場合、前記入力画像および前記ＯＳＤ画像の少なくとも１つの配置位置、並びに、前記入力画像および前記ＯＳＤ画像の少なくとも１つの大きさ、の少なくとも１つを変更した第２の合成画像を前記合成画像生成部に生成させ、生成した前記第２の合成画像を前記投写部に投写させる制御部と、を備えることを特徴とする。
【０００７】
このような構成によれば、入力画像とＯＳＤ画像とを合成して生成する第１の合成画像においてＯＳＤ画像および入力画像の少なくとも１つの視認性が低下する場合、制御部は、入力画像およびＯＳＤ画像の少なくとも１つの配置位置、並びに、入力画像およびＯＳＤ画像の少なくとも１つの大きさ、の少なくとも１つを変更した第２の合成画像を合成画像生成部に生成させ、生成された第２の合成画像を投写部に投写させるため、視認性を向上させた合成画像を表示できる。
【０００８】
［適用例２］
上記適用例にかかる投写装置において、前記合成画像生成部は、投写された前記第１の合成画像を撮影する撮影部と、前記撮影部が撮影した前記第１の合成画像における前記ＯＳＤ画像を解析し、前記第１の合成画像における前記ＯＳＤ画像の少なくとも一部が投写されているか否かを判定する解析部と、前記解析部が前記ＯＳＤ画像の少なくとも一部が投写されていないと判定した場合、前記ＯＳＤ画像を正しく投写するべく前記ＯＳＤ画像の前記配置位置を決定する決定部と、前記決定部が決定した前記配置位置に基づいて前記ＯＳＤ画像を生成する生成部と、前記生成部が生成した前記ＯＳＤ画像と、前記入力画像とを合成して前記第２の合成画像を生成する合成部と、を備えることが好ましい。
【０００９】
このような構成によれば、合成画像生成部は、投写された第１の合成画像を撮影して解析し、解析した結果、ＯＳＤ画像の少なくとも一部が投写されていないと判定した場合、ＯＳＤ画像を正しく投写するべくＯＳＤ画像の配置位置を決定し、決定した配置位置に基づいてＯＳＤ画像を生成し、生成したＯＳＤ画像と入力画像とを合成して第２の合成画像を生成する。従って、第１の合成画像においてＯＳＤ画像の少なくとも一部が投写されない場合、正しく投写される位置にＯＳＤ画像を配置して第２の合成画像を生成するため、投写する合成画像におけるＯＳＤ画像の視認性を向上させることができる。
【００１０】
［適用例３］
上記適用例にかかる投写装置において、前記解析部は、前記撮影部が撮影した前記第１の合成画像から前記ＯＳＤ画像のイメージ像を抽出し、抽出した前記イメージ像と前記ＯＳＤ画像のデータが示すイメージ像とを比較することにより、抽出した前記ＯＳＤ画像が正しく投写されているか否かを判定することが好ましい。
【００１１】
このような構成によれば、撮影部が撮影した合成画像から抽出したＯＳＤ画像のイメージ像とＯＳＤ画像のデータが示すイメージ像とを比較してＯＳＤ画像が正しく投写されているか否かを判定するため、ＯＳＤ画像の投写不良を正確に判定できる。
【００１２】
［適用例４］
上記適用例にかかる投写装置において、前記合成画像生成部は、前記投写部が投写可能な投写領域において前記入力画像が投写されない余白領域を抽出する抽出部と、抽出した前記余白領域に基づいて、前記入力画像と前記ＯＳＤ画像とが重畳しない前記配置位置を決定する決定部と、前記決定部が決定した前記配置位置に基づいて前記ＯＳＤ画像を生成する生成部と、前記生成部が生成した前記ＯＳＤ画像と、前記入力画像とを合成して前記第２の合成画像を生成する合成部と、を備えることが好ましい。
【００１３】
このような構成によれば、合成画像生成部は、投写部が投写可能な投写領域において入力画像が投写されない余白領域を抽出し、抽出した余白領域に基づいて、入力画像とＯＳＤ画像とが重畳しない配置位置を決定し、決定した配置位置に基づいてＯＳＤ画像を生成し、生成したＯＳＤ画像と、入力画像とを合成して第２の合成画像を生成する。従って、入力画像が投写されない余白領域に基づいて入力画像と重畳しないようにＯＳＤ画像を配置した第２の合成画像を生成するため、投写する合成画像におけるＯＳＤ画像と入力画像が重畳することによる視認性の低下を回避できる。
【００１４】
［適用例５］
上記適用例にかかる投写装置において、前記合成画像生成部は、前記決定部が決定した前記配置位置に基づいて、前記ＯＳＤ画像および前記入力画像の少なくとも１つの大きさを変更することが好ましい。
【００１５】
このような構成によれば、配置位置に基づいて、ＯＳＤ画像および入力画像の少なくとも１つの大きさが変更されるため、投写する画像の大きさを配置位置に効率よく合わせることができる。
【００１６】
［適用例６］
本適用例にかかる投写装置の制御方法は、入力画像およびＯＳＤ画像を合成した第１の合成画像において、前記ＯＳＤ画像および前記入力画像の少なくとも１つの視認性が低下する場合、前記入力画像および前記ＯＳＤ画像の少なくとも１つの配置位置、並びに、前記入力画像および前記ＯＳＤ画像の少なくとも１つの大きさ、の少なくとも１つを変更した第２の合成画像を生成し、生成した前記第２の合成画像を投写することを特徴とする。
【００１７】
このような方法によれば、入力画像とＯＳＤ画像とを合成して生成する第１の合成画像においてＯＳＤ画像および入力画像の少なくとも１つの視認性が低下する場合、入力画像およびＯＳＤ画像の少なくとも１つの配置位置、並びに、入力画像およびＯＳＤ画像の少なくとも１つの大きさ、の少なくとも１つを変更した第２の合成画像が生成され、生成した第２の合成画像が投写されるため、視認性を向上させた合成画像を表示できる。
【図面の簡単な説明】
【００１８】
【図１】本発明の実施形態１に係るプロジェクターの機能構成を示すブロック図。
【図２】投写ユニットの光学系を模式的に示す図。
【図３】ＯＳＤ画像位置の補正を説明する図。
【図４】実施形態１におけるＯＳＤ画像の生成処理の流れを示すフローチャート。
【図５】本発明の実施形態２に係るプロジェクターの機能構成を示すブロック図。
【図６】ＯＳＤ画像の表示パターンを示す図。
【図７】実施形態２におけるＯＳＤ画像の生成処理の流れを示すフローチャート。
【発明を実施するための形態】
【００１９】
以下、本発明の実施形態について図面を参照して説明する。
【００２０】
（実施形態１）
以下、本発明の実施形態１に係る画像投写装置として、光源から射出された光を入力された画像信号に応じて変調し、この変調光をスクリーン等の投写面に拡大投写して画像を表示するプロジェクター１００について説明する。
図１は、本実施形態１におけるプロジェクター１００の機能構成を示すブロック図である。このプロジェクター１００は、信号入力部１１０、操作部１２０、画像処理部１３０、操作制御部１４０、ＯＳＤ処理部１５０、ＯＳＤメモリー１５８、合成部１６０、投写画像撮影部１７０および画像投写部２００を備える。尚、ＯＳＤ処理部１５０、合成部１６０および投写画像撮影部１７０は合成画像生成部に相当し、操作制御部１４０は制御部に相当する。また、画像投写部２００は投写部に相当する。
信号入力部１１０は、各種のフォーマット形式のコンテンツの入力信号を受け付ける。コンテンツは所定の接続方式で接続されたコンピューターやＤＶＤ再生装置等から出力される態様や、フラッシュメモリーに記憶されたデータを読み取る態様や、インターネット等のネットワークを介して入力される態様を想定する。
信号入力部１１０は、受け付けた入力信号から画像データを抽出し、抽出した画像データを画像処理部１３０に出力する。
画像処理部１３０は、画像データに対して階調補正、色補正および倍率補正等の画像処理を操作制御部１４０からの指示に基づいて施し、投写ユニット２５０で投写可能な入力画像（コンテンツ画像）を生成する。生成されたコンテンツ画像は合成部１６０に送られる。尚、プロジェクター１００が実行する画像処理についての詳細な説明は、例えば、特開２０１０−１８１８０７号公報に公開されている。
【００２１】
投写画像撮影部１７０は、スクリーンＳＣに表示される投写画像を撮影し、撮影により得られる投写画像の画像データをＯＳＤ処理部１５０に出力する。本実施形態１では、投写画像撮影部１７０は、プロジェクター１００に内蔵されたＣＣＤカメラを想定する。尚、投写画像撮影部１７０は撮影部に相当する。
ＯＳＤ処理部１５０は、画像処理部１３０が生成したコンテンツ画像に重畳して表示するＯＳＤ画像を生成する。ＯＳＤ処理部１５０は、ユーザーが操作部１２０を操作することで操作制御部１４０が出力する指示に基づいて、種々のメニュー画面やメッセージ画面等を含むＯＳＤ画像を生成する。生成したＯＳＤ画像は合成部１６０に出力される。また、メニュー画面やメッセージ画面等のデータはＯＳＤメモリー１５８に予め記憶されている。
このＯＳＤ処理部１５０は、解析部に相当する投写画像解析部１５２、決定部に相当する表示位置決定部１５４および生成部に相当するＯＳＤ画像生成部１５６を備える。
投写画像解析部１５２は、投写画像撮影部１７０が撮影した投写画像を受け付け、投写画像を解析する。
本実施形態１では、投写画像解析部１５２は、投写画像においてコンテンツ画像に重畳されているＯＳＤ画像のイメージ像を抽出する。更に、投写画像解析部１５２は、抽出したＯＳＤ画像のイメージ像と、ＯＳＤメモリー１５８に記憶されているＯＳＤ画像のデータが示すイメージ像と、を比較し、スクリーンＳＣにＯＳＤ画像が正しく投写されているか、否かを判定する。
【００２２】
判定の結果、ＯＳＤ画像が欠けて表示され、スクリーンＳＣにＯＳＤ画像が正しく投写されていない場合、投写画像解析部１５２は、表示位置決定部１５４およびＯＳＤ画像生成部１５６に対してＯＳＤ画像の移動を指示する。
表示位置決定部１５４は、コンテンツ画像に重畳するＯＳＤ画像の配置位置を決定する。初期状態では、表示位置決定部１５４は、初期設定に基づいてＯＳＤ画像の配置位置を決定する。
本実施形態１では、初期設定に基づくＯＳＤ画像の配置位置（初期位置）は、コンテンツ画像の左上部に配置されるように設定されている。図３では、コンテンツ画像がスクリーンＳＣ全体に投写されるように調整されている。図３に示すように、スクリーンＳＣの形状や投写倍率等によっては、ＯＳＤ画像の一部が欠けて投写される。
このようにＯＳＤ画像の左上部が欠ける場合、投写画像解析部１５２の判定により出力される移動指示に基づいて、表示位置決定部１５４は、ＯＳＤ画像を右下に移動させ、ＯＳＤ画像が全て投写されるための配置位置を算出する。算出した配置位置に関する情報は、ＯＳＤ画像生成部１５６に送られる。
ＯＳＤ画像生成部１５６は、表示位置決定部１５４から送られる配置位置に関する情報に基づいて、メニュー画面やメッセージ画面を所定位置に配置したＯＳＤ画像（画像フレーム）を生成し、生成したＯＳＤ画像を合成部１６０に出力する。
【００２３】
合成部１６０は、操作制御部１４０が出力する指示に基づいて、画像処理部１３０が生成したコンテンツ画像と、ＯＳＤ処理部１５０が生成したＯＳＤ画像とを合成した合成画像を生成する。
合成部１６０が生成した合成画像は、画像投写部２００に出力される。
画像投写部２００は、ランプ駆動部２１０、ライトバルブ駆動部２２０および投写ユニット２５０を備える。
ランプ駆動部２１０は、操作制御部１４０から出力される駆動指示に基づいて、投写ユニット２５０の光源装置２５５の駆動を制御する。
ライトバルブ駆動部２２０は、合成部１６０が生成した第１の合成画像に基づいて、光変調装置２８０を駆動するための駆動信号を生成し、投写ユニット２５０に出力する。
投写ユニット２５０は、ライトバルブ駆動部２２０から出力される駆動信号に基づいて変調光を生成し、生成した変調光をスクリーンＳＣに投写する。
ここで、図２は投写ユニット２５０の光学系を模式的に示す図であり、この図２を参照して光学系の概略構成を説明する。
投写ユニット２５０の光学系の機能は光学系ユニット２５１として構成されている。光学系ユニット２５１は、光学部品用筐体２５２、光源装置２５５、照明光学装置２６０、色分離光学装置２６５、リレー光学装置２７０、光変調装置２８０および投写光学装置２９０を備えている。これらの各装置を構成する光学部品は光学部品用筐体２５２に収納されている。
【００２４】
光源装置２５５は、光束を射出する発光管２５６およびリフレクター２５７を備えている。光源装置２５５は、発光管２５６から射出された光束をリフレクター２５７で反射させて射出方向を揃え、照明光学装置２６０に向けて射出する。尚、照明光軸ＯＣは、光源装置２５５から被照明領域側に射出される光束の中心軸である。
照明光学装置２６０はレンズアレイ２６１，２６２、偏光変換素子２６３、重畳レンズ２６４およびフィールドレンズ２６９を備え、光源装置２５５から射出された光束に対し、照明光軸ＯＣと直交する面内での照度を均一化する機能を有する。
色分離光学装置２６５はダイクロイックミラー２６６，２６７や反射ミラー２６８を備え、照明光学装置２６０から射出された光束を、赤色（Ｒ）光、緑色（Ｇ）光および青色（Ｂ）光の３色の色光に分離して３つの液晶装置２８５Ｒ，２８５Ｇ，２８５Ｂに導光する。
リレー光学装置２７０は入射側レンズ２７２、リレーレンズ２７６および反射ミラー２７４，２７８を備える。このリレー光学装置２７０では、色分離光学装置２６５で分離された色光（本実施形態１ではＢ光）の光路の長さは、他の色光の光路の長さよりも長い。これにより、光の発散などによる光の利用効率の低下を防止し、色光を液晶装置２８５（本実施形態１では液晶装置２８５Ｂ）まで導く。
【００２５】
光変調装置２８０は、３つの入射側偏光板２８４の液晶装置２８５Ｒ，２８５Ｇ，２８５Ｂ、３つの射出側偏光板２８６およびクロスダイクロイックプリズム２８８を備える。液晶装置２８５Ｒ，２８５Ｇ，２８５Ｂは、色分離光学装置２６５で分離された各色光を駆動信号に応じて変調する。クロスダイクロイックプリズム２８８は、液晶装置２８５Ｒ，８５Ｇ，８５Ｂにより変調された各色光を合成し、投写光学装置２９０側に射出する。
投写光学装置２９０は投写レンズ２９２を備える。この投写光学装置２９０は、光変調装置２８０で変調され合成された光束を、投写レンズ２９２で拡大しスクリーンＳＣに投写する。この結果、入力された画像信号に基づいた投写画像はスクリーンＳＣに表示される。尚、投写レンズ２９２は、焦点距離が一定の光学系であっても良く、また、ユーザーが操作することで焦点距離を連続的に変更可能な光学系であっても良い。
図４は、ＯＳＤ画像の生成処理の流れを示すフローチャートである。最初に、ＯＳＤ処理部１５０は、初期設定に基づいてＯＳＤ画像を生成する（ステップＳ３００）。
次に、ＯＳＤ処理部１５０は、ＯＳＤ画像の表示位置を初期位置に決定する（ステップＳ３０２）。
【００２６】
次に、ＯＳＤ処理部１５０は決定した位置にＯＳＤ画像を移動させ、合成部１６０はＯＳＤ画像とコンテンツ画像とが合成した合成画像（第１の合成画像）を生成する（ステップＳ３０４）。
次に、画像投写部２００は合成画像をスクリーンＳＣに投写する（ステップＳ３０６）。
次に、投写画像撮影部１７０は投写した合成画像を撮影し（ステップＳ３０８）、ＯＳＤ処理部１５０は撮影した合成画像を解析する（ステップＳ３１０）。
ここで、ＯＳＤ処理部１５０はＯＳＤ画像が正しく投写されているか、否かを判定し（ステップＳ３１２）、ＯＳＤ画像が正しく投写されていないと判定した場合（ステップＳ３１２でＮｏ）、ＯＳＤ処理部１５０はＯＳＤ画像が正しく投写される配置位置を決定し（ステップＳ３１４）、ステップＳ３０４に戻り、決定した配置位置にＯＳＤ画像を配置した合成画像（第２の合成画像）を再生成する。
他方で、ＯＳＤ画像が正しく投写されていると判定した場合（ステップＳ３１２でＹｅｓ）、一連の処理を終了する。尚、一連の処理が終了した後、所定のタイミングで、ステップＳ３０８からの処理を実行することで、投写の態様が動的に変化した場合であっても、その変化に応じてＯＳＤ画像が正しく表示されるように移動させることができる。
【００２７】
以上述べた実施形態１によれば、以下のような効果を奏する。
（１）コンテンツ画像にＯＳＤ画像を重畳した合成画像をスクリーンＳＣに投写する場合、スクリーンＳＣの形状等によりＯＳＤ画像が欠けて表示されるような場合であっても、プロジェクター１００はＯＳＤ画像の欠けを判定し、ＯＳＤ画像が正しく表示される位置に移動させて合成画像を生成するため、投射するスクリーンＳＣの形状に依らず、ＯＳＤ画像を正しく表示できる。
【００２８】
（実施形態２）
次に、本発明の実施形態２について、図５〜図７を参照して説明する。尚、以下の説明では、既に説明した部分と同じ部分については、同一符号を付してその説明を省略する。
実施形態１では、ＯＳＤ画像の少なくとも一部が投写されない場合、ＯＳＤ画像の位置を補正する態様を説明したが、本実施形態２では、コンテンツ画像が投写可能領域よりも小さく、投写領域の端部に投写可能な余白領域がある場合、余白領域にＯＳＤ画像を投写する。
図５は、本実施形態２におけるプロジェクター１００の機能構成を示すブロック図である。本実施形態２では、ＯＳＤ処理部１５０は余白領域算出部１５３を備える。この余白領域算出部１５３は、コンテンツ画像の大きさと、光変調装置２８０における液晶装置２８５の大きさと、に基づいて、投写領域における余白領域の大きさを算出する。余白領域算出部１５３は、算出した余白領域の大きさに関する情報を表示位置決定部１５４に送る。尚、余白領域算出部１５３は抽出部に相当する。
【００２９】
表示位置決定部１５４は、余白領域算出部１５３から送られる余白領域の大きさに関する情報に基づいて、ＯＳＤ画像の表示位置を決定する。ここで、図６は、ＯＳＤ画像の表示パターンを示している。表示位置決定部１５４は、余白領域の大きさに関する情報から、投写領域を規定する矩形の各辺とコンテンツ画像の各辺との距離（Ｘ１，Ｘ２，Ｙ１，Ｙ２）を取得する。表示位置決定部１５４は、取得した距離（Ｘ１，Ｘ２，Ｙ１，Ｙ２）と、ＯＳＤ画像のサイズ（Ｘ０，Ｙ０）との大小関係に基づいて、ＯＳＤ画像の表示パターンを決定する。
パターン１は、コンテンツ画像を左右方向の何れかに移動させ、空いた領域にＯＳＤ画像を投写する態様を示している。また、パターン２は、コンテンツ画像を上下方向の何れかに移動させ、空いた領域にＯＳＤ画像を投写する態様を示している。
また、パターン３は、ＯＳＤ画像を縮小して小型化し、空いた領域にＯＳＤ画像を投写する態様を示している。この場合、コンテンツ画像の移動や縮小も想定できる。また、パターン４は、コンテンツ画像を上下方向または左右方向に移動させて縮小し、ＯＳＤ画像を小型化することなく投写する態様を示している。尚、パターン３またはパターン４の選択は、ユーザーが操作部１２０を介して設定できる態様を想定する。
【００３０】
また、本実施形態２では、合成部１６０は、ＯＳＤ処理部１５０の決定に基づいて、コンテンツ画像の位置や大きさを変更する機能を備える。
図７は、ＯＳＤ画像の生成処理の流れを示すフローチャートである。この処理は、所定のＯＳＤ画像をコンテンツ画像に重畳して合成画像を生成する際に、ＯＳＤ画像とコンテンツ画像とが重なって表示され、ＯＳＤ画像やコンテンツ画像の視認性が低下するとＯＳＤ処理部１５０が判断した場合に実行される。この処理が実行されると、最初に、ＯＳＤ処理部１５０はコンテンツ画像を投写した場合の投写画面における余白領域の大きさを取得する（ステップＳ３５０）。
次に、ＯＳＤ処理部１５０は、左右方向の余白領域の和（Ｘ１＋Ｘ２）は、左右方向のＯＳＤ画像のサイズ（Ｘ０）よりも大きいか、否かを判定する（ステップＳ３５２）。
ここで、左右方向の余白領域の和（Ｘ１＋Ｘ２）は、左右方向のＯＳＤ画像のサイズ（Ｘ０）以上であると判定した場合（ステップＳ３５２でＹｅｓ）、ＯＳＤ処理部１５０は、パターン１を採用し、コンテンツ画像を左右方向の何れかに移動させ（ステップＳ３５４）、ＯＳＤ画像を左右何れかの広くなった領域に表示し（ステップＳ３５６）、処理を終了する。
【００３１】
他方で、左右方向の余白領域の和（Ｘ１＋Ｘ２）は、左右方向のＯＳＤ画像のサイズ（Ｘ０）よりも小さいと判定した場合（ステップＳ３５２でＮｏ）、ＯＳＤ処理部１５０は、上下方向の余白領域の和（Ｙ１＋Ｙ２）は、上下方向のＯＳＤ画像のサイズ（Ｙ０）よりも大きいか、否かを判定する（ステップＳ３５８）。
ここで、上下方向の余白領域の和（Ｙ１＋Ｙ２）は、上下方向のＯＳＤ画像のサイズ（Ｙ０）以上であると判定した場合（ステップＳ３５８でＹｅｓ）、ＯＳＤ処理部１５０は、パターン２を採用し、コンテンツ画像を上下方向の何れかに移動させ（ステップＳ３６０）、ＯＳＤ画像を上下方向の何れかの広くなった領域に表示し（ステップＳ３６２）、処理を終了する。
他方で、上下方向の余白領域の和（Ｙ１＋Ｙ２）は、上下方向のＯＳＤ画像のサイズ（Ｙ０）よりも小さいと判定した場合（ステップＳ３５８でＮｏ）、ＯＳＤ処理部１５０は、ＯＳＤ画像の小型化が許容された設定であるか、否かを判定（ステップＳ３６４）する。
ここで、ＯＳＤ画像の小型化が許容された設定であると判定した場合（ステップＳ３６４でＹｅｓ）、ＯＳＤ処理部１５０は、パターン３を採用し、ＯＳＤ画像を小型化して表示し（ステップＳ３６６）、処理を終了する。
【００３２】
他方で、ＯＳＤ画像の小型化が許容された設定でないと判定した場合（ステップＳ３６４でＮｏ）、ＯＳＤ処理部１５０は、左右方向の余白領域の和（Ｘ１＋Ｘ２）が上下方向の余白領域の和（Ｙ１＋Ｙ２）以上であるか、否かを判定する（ステップＳ３６８）。
ここで、左右方向の余白領域の和（Ｘ１＋Ｘ２）が上下方向の余白領域の和（Ｙ１＋Ｙ２）以上であると判定した場合（ステップＳ３６８でＹｅｓ）、ＯＳＤ処理部１５０は、コンテンツ画像を縮小して左右方向のいずれかに移動させることでリサイズを行い（ステップＳ３７０）、ＯＳＤ画像を左右方向の何れかの広くなった領域に表示し（ステップＳ３７２）、処理を終了する。
他方で、左右方向の余白領域の和（Ｘ１＋Ｘ２）が上下方向の余白領域の和（Ｙ１＋Ｙ２）よりも小さいと判定した場合（ステップＳ３６８でＮｏ）、ＯＳＤ処理部１５０は、コンテンツ画像を縮小して上下方向のいずれかに移動させることでリサイズを行い（ステップＳ３７４）、ＯＳＤ画像を上下方向の何れかの広くなった領域に表示し（ステップＳ３７６）、処理を終了する。
【００３３】
以上述べた実施形態２によれば、以下のような効果を奏する。
（２）コンテンツ画像とＯＳＤ画像とが重なることなく表示されるため、ＯＳＤメニューで画質調整等を行う場合、コンテンツ画像の全体を視認しつつ、視認性が向上したＯＳＤ画像の中のメニューを選択し、画質調整等の操作を指示できる。
（３）ＯＳＤ画像を縮小して表示するか、または、ＯＳＤ画像を縮小せずにコンテンツ画像を縮小して表示するかをユーザーが選択できるため、コンテンツ画像およびＯＳＤ画像の表示をＯＳＤメニューの用途に応じて適切に設定できる。
【００３４】
以上のような手法を実施する装置は、単独の装置によって実現される場合もあれば、複数の装置を組み合わせることによって実現される場合もあり、各種の態様を含むものである。例えば、光源装置２５５は固体光源等であっても良く、光変調装置２８０はＤＭＤであっても良い。
各実施形態における各構成およびそれらの組み合わせは一例であり、本発明の趣旨から逸脱しない範囲内で、構成の付加、省略、置換およびその他の変更が可能である。また、本発明は各実施形態により限定されるものではなく、クレームの範囲によってのみ限定される。
【符号の説明】
【００３５】
１００…プロジェクター、１１０…信号入力部、１２０…操作部、１３０…画像処理部、１４０…操作制御部、１５０…ＯＳＤ処理部、１５２…投写画像解析部、１５３…余白領域算出部、１５４…表示位置決定部、１５６…ＯＳＤ画像生成部、１５８…ＯＳＤメモリー、１６０…合成部、１７０…投写画像撮影部、２００…画像投写部、２１０…ランプ駆動部、２２０…ライトバルブ駆動部、２５０…投写ユニット、２５１…光学系ユニット、２５２…光学部品用筐体、２５５…光源装置、２５６…発光管、２５７…リフレクター、２６０…照明光学装置、２６１，２６２…レンズアレイ、２６３…偏光変換素子、２６４…重畳レンズ、２６５…色分離光学装置、２６６，２６７…ダイクロイックミラー、２６８…反射ミラー、２６９…フィールドレンズ、２７０…リレー光学装置、２７２…入射側レンズ、２７４，２７８…反射ミラー、２７６…リレーレンズ、２８０…光変調装置、２８４…入射側偏光板、２８５…液晶装置、２８５Ｒ…液晶装置、２８５Ｇ…液晶装置、２８５Ｂ…液晶装置、２８６…射出側偏光板、２８８…クロスダイクロイックプリズム、２９０…投写光学装置、２９２…投写レンズ。
【図１】
2015176102.tif 000003
【図２】
2015176102.tif 000004
【図３】
2015176102.tif 000005
【図４】
2015176102.tif 000006
【図５】
2015176102.tif 000007
【図６】
2015176102.tif 000008
【図７】
2015176102.tif 000009